【手続補正書】
【提出日】平成15年11月19日(2003.11.19)
【手続補正１】
【補正対象書類名】明細書
【補正対象項目名】発明の名称
【補正方法】変更
【補正の内容】
【発明の名称】収納装置とキャビネット付き収納装置、およびこれらに用いられる昇降支持機構


【手続補正２】
【補正対象書類名】明細書
【補正対象項目名】特許請求の範囲
【補正方法】変更
【補正の内容】
【特許請求の範囲】
【請求項１】
ラック体と、このラック体を収納位置から引出し、また元に戻せるように支持する支持機構とを備え、ラック体を奥行き方向に少なくとも２分割するとともに、前側ラック体が移動して奥側ラック体の前方から退避し、また元に戻せるように前側ラック体を奥側ラック体に連結した移動機構を設けたことを特徴とする収納装置。
【請求項２】
ラック体と、このラック体を収納位置から下方まで引出し、また戻せるように支持する昇降支持機構とを備え、ラック体を奥行き方向に少なくとも２分割するとともに、前側ラック体が移動して奥側ラック体の前方から退避し、また元に戻せるように前側ラック体を奥側ラック体に連結した移動機構を設けたことを特徴とする収納装置。
【請求項３】
ラック体と、このラック体を収納位置から引出し、また元に戻せるように支持する昇降支持機構とを備え、ラック体を奥行き方向に少なくとも２分割するとともに、前側ラック体が移動して奥側ラック体の前方から退避し、また元に戻せるように奥側ラック体に連結した移動機構を設け、昇降支持機構はラック体を収納位置に対し出し入れするため、収納位置の最大奥行き寸法以上の出し入れストロークとラック体を引出し位置とその下方の所定下降位置との間で昇降させる昇降ストロークとを持ち、出し入れストロークをラック体をキャビネット内に収納し切れる長さに規制するストローク規制手段が設けられていることを特徴とする収納装置。
【請求項４】
収納位置の複数の奥行き寸法に対して、奥側ラック体の奥行き寸法は奥行き寸法が最大奥行き寸法の収納位置を除く小さな収納位置の奥行き寸法にほぼ対応し、奥側ラック体と前側ラック体を合わせた奥行き寸法は、前記小さな収納位置よりも奥行き寸法の大きな収納位置の奥行き寸法にほぼ対応している請求項１〜３のいずれか１項に記載の収納装置。
【請求項５】
移動機構は、前側ラック体を奥側ラック体の前方部分以外の適所に退避させる請求項１〜４のいずれか一項に記載の収納装置。
【請求項６】
奥側ラック体は、前側ラック体の退避によって前面開口が開放される請求項１〜５のいずれか一項に記載の収納装置。
【請求項７】
移動機構は、前側ラック体を奥側ラック体の前面開口に対しほぼ同じ位置かそれよりも奥側に移動させて奥側ラックの前面開口を開放する請求項６に記載の収納装置。
【請求項８】
移動機構は前側ラック体を奥側ラック体の前面の周縁の一辺にヒンジにて連結する請求項１〜７のいずれか一項に記載の収納装置。
【請求項９】
移動機構は奥側ラック体の前面の周縁の相対向する２辺に、その対向方向に２分割した前側ラック体を個別にヒンジにて連結する請求項１〜７のいずれか一項に記載の収納装置。
【請求項１０】
奥側ラック体の前面の周縁にヒンジにて連結された前側ラック体は、前記ヒンジと平行なヒンジによって奥側ラック体とのヒンジ連結部から順次逆向きに折り畳み、また展開できるように連結された複数のラック体に分割している請求項８、９のいずれか一項に記載の収納装置。
【請求項１１】
前側ラック体の自由端部とこれが対向する奥側ラック体の前面の周縁との一方側に他方側の係止部と係合して双方を引きつけて結合するバックルを設けた請求項９〜１０のいずれか一項に記載の収納装置。
【請求項１２】
前側ラック体の自由端部とこれが対向する奥側ラック体の前面の周縁との一方側に他方側に向きガイド突起を設け、他方側に前記ガイド突起と嵌まり合ってそれを位置決めする位置決めガイドを設けた請求項１１に記載の収納装置。
【請求項１３】
最前側ラック体に操作用の取手を設けた請求項１〜１２のいずれか一項に記載の収納装置。
【請求項１４】
請求項１〜１３のいずれか１項に記載の収納装置と、この収納装置のラックをその支持機構または昇降支持機構によって収納位置に出し入れできるように収容するキャビネットとを備えたことを特徴とするキャビネット付き収納装置。
【請求項１５】
収納位置に設けたラック体を収納位置外下方まで引出し、また元に戻せるように支持する昇降支持機構において、
ラック体を収納位置に対し直線またはこれに近い移動状態で出し入れする出し入れストロークとラック体を引出し位置とその下方の所定下降位置との間で昇降させる昇降ストロークとを持ち、出し入れストロークは奥行きが異なる収納位置の内の最大奥行き寸法以上に設定され、ラック体を各種奥行き寸法の収納位置に収納し切れる長さに規制するストローク規制手段を備えたことを特徴とする収納装置の昇降支持機構。
【手続補正３】
【補正対象書類名】明細書
【補正対象項目名】０００１
【補正方法】変更
【補正の内容】
【０００１】
【発明の属する技術分野】
本発明は、収納位置に設けたラック体を少なくとも収納位置から引出し、また元に戻せるように支持し、ラック体内に各種のものを出し入れしやすくした収納装置とキャビネット付き収納装置、およびこれらに用いられる昇降支持機構に関するものであり、例えば厨房等での各種のものの収納に利用される。


【手続補正４】
【補正対象書類名】明細書
【補正対象項目名】０００６
【補正方法】変更
【補正の内容】
【０００６】
本発明の目的は、引き出されたラック体が高所であったり、さらに奥行が大きいものであっても、各種のものを出し入れしやすく、また、奥部一杯まで有効利用しやすい収納装置とキャビネット付き収納装置、およびこれらに用いられる昇降支持機構を提供することにある。


【手続補正５】
【補正対象書類名】明細書
【補正対象項目名】０００７
【補正方法】変更
【補正の内容】
【０００７】
【課題を解決するための手段】
請求項１の発明の収納装置は、ラック体と、このラック体を収納位置から引出し、また元に戻せるように支持する支持機構とを備え、ラック体を奥行き方向に少なくとも２分割するとともに、前側ラック体が移動して奥側ラック体の前方から退避し、また元に戻せるように前側ラック体を奥側ラック体に連結した移動機構を設けたことを特徴とするものである。


【手続補正６】
【補正対象書類名】明細書
【補正対象項目名】０００８
【補正方法】変更
【補正の内容】
【０００８】
このような構成では、収納位置にあるラック体をこれを支持している支持機構によって収納位置から引き出して各種のものを出し入れするのに、ラック体が奥行き方向に少なくとも２分割されていて、ラック体の引出し位置が高所であったり、さらに奥行き寸法の大きなものであっても、前側ラック体は手近にあってそのままでも内部に手が届きやすく各種のものを出し入れしやすいし、奥側ラック体は前側ラック体が移動して前方から、例えば請求項５に記載の発明のように退避されることにより、奥行き寸法の小さなラック体と同様に奥部まで手が届きやすくなり、これも各種のものを出し入れしやすいものとなる。


【手続補正７】
【補正対象書類名】明細書
【補正対象項目名】００１０
【補正方法】変更
【補正の内容】
【００１０】
請求項２の発明の収納装置は、請求項１の収納装置と同じ構成のラック体を、昇降支持機構によって収納位置外下方まで引出し、また元に戻せるように支持したものであり、請求項１の発明の収納装置よりもラック体を低位置まで引き出せる分だけ、各種のものをさらに出し入れしやすい。


【手続補正８】
【補正対象書類名】明細書
【補正対象項目名】００１１
【補正方法】変更
【補正の内容】
【００１１】
請求項３の発明の収納装置は、請求項２の発明の収納装置と同じ構成を有する上に、昇降支持機構が請求項１５の発明のように、ラック体を収納位置に対し出し入れするため、収納位置の最大奥行き寸法以上の出し入れストロークとラック体を引出し位置とその下方の所定下降位置との間で昇降させる昇降ストロークとを持ち、出し入れストロークをラック体を収納位置に収納し切れる長さに規制するストローク規制手段が設けられていることを特徴とするものであり、収納位置をどのような奥行き寸法のものに設定し、または選択しても、１種類の昇降支持機構を用いて過剰な出し入れストロークをストローク規制手段により規制して対応することができるので、種々の奥行き寸法の収納位置を用いた収納装置が低コストで得られる。特に請求項１５の発明の昇降支持機構の出し入れストロークは、ラック体を直線またはこれに近い移動状態にて出し入れさせるので、奥行き寸法の大きな収納位置でも、ラック体を出し入れさせるための収納位置のまわりとの間の遊びが少なくてよいので、無駄なスペースが生じにくく容積効率が向上する。


【手続補正９】
【補正対象書類名】明細書
【補正対象項目名】００１２
【補正方法】変更
【補正の内容】
【００１２】
請求項４の発明の収納装置は、請求項１〜３の発明のいずれか１つにおいて、さらに、収納位置の複数の奥行き寸法に対して、奥側ラック体の奥行き寸法は奥行き寸法が最大奥行き寸法の収納位置を除く小さな収納位置の奥行き寸法にほぼ対応し、奥側ラック体と前側ラック体を合わせた奥行き寸法は、前記小さな収納位置よりも奥行き寸法の大きな奥行き寸法にほぼ対応している。


【手続補正１０】
【補正対象書類名】明細書
【補正対象項目名】００１３
【補正方法】変更
【補正の内容】
【００１３】
このような構成では、請求項１〜３の発明のいずれか１つに加え、さらに、得ようとする収納装置が複数設定される最小の奥行き寸法のものを除いたものであるとき、これよりも小さな奥行き寸法の収納位置に用いられるラック体と同じ奥行き寸法のものを奥側ラック体とし、この奥側ラック体と合わせた奥行き寸法が得ようとする収納装置の奥行き寸法とほぼ対応する奥行き寸法のものを前側ラック体とすることにより、奥行き方向に２分割された必要奥行き寸法のラック体が得られるので、奥側ラック体を前記小さな奥行き寸法の収納位置に用いるラック体と共用することができるし、請求項３の発明に従属しては、さらに、奥側ラック体と昇降支持機構との組み立て体を、前記小さな収納位置と共用し、必要に応じて奥側ラック体に前側ラック体を結合して得ようとする収納装置に対応する２分割ラック体とすることができ、これら共用できる範囲で各種寸法の収納位置を用いる場合の個別部品を少なくしコストの低減を図ることができる。
なお、請求項１〜１３の発明のいずれか１つの収納装置と、収納装置のラックをその支持機構または昇降支持機構によって収納位置に出し入れできるように収容するキャビネットとを備えたキャビネット付き収納装置とすることもできる。
【手続補正１１】
【補正対象書類名】明細書
【補正対象項目名】００５６
【補正方法】変更
【補正の内容】
【００５６】
【発明の効果】
請求項１の発明の収納装置によれば、ラック体が奥行き方向に少なくとも２分割されていて、収納位置からの引き出し位置が高所であったり、さらに奥行き寸法の大きなものであっても、前側ラック体は手近にあってそのままでも内部に手が届きやすく各種のものを出し入れしやすいし、奥側ラック体は前側ラック体が移動して前方から、例えば請求項５の発明のように種々に退避されることにより、奥行き寸法の小さなラック体と同様に奥部まで手が届きやすくなり、これも各種のものを出し入れしやすいものとなる。しかも、請求項６の発明のように、奥側ラック体が前側ラック体の退避によって前面開口を開放されると、前壁の邪魔なく手が奥部までさらに届きやすくなるので、各種のものの出し入れがさらに容易になる。


【手続補正１２】
【補正対象書類名】明細書
【補正対象項目名】００５８
【補正方法】変更
【補正の内容】
【００５８】
請求項３の発明の収納装置によれば、収納位置をどのような奥行き寸法のものに設定し、または選択しても、１種類の昇降支持機構を用いて対応し種々の奥行き寸法の収納位置を用いた収納装置が低コストで得られる。特に請求項１５の発明の昇降支持機構を用いると、ラック体を直線またはこれに近い移動状態にて出し入れさせられ、奥行き寸法の大きな収納位置でも、ラック体を出し入れさせるための収納位置のまわりとの間の遊びが少なくてよいので、無駄なスペースが生じにくく容積効率が向上する。


【手続補正１３】
【補正対象書類名】明細書
【補正対象項目名】００５９
【補正方法】変更
【補正の内容】
【００５９】
請求項４の発明の収納装置によれば、奥側ラック体を他の寸法の収納位置に対応するラック体と共用することができるし、請求項３の発明においては、さらに、奥側ラック体およびこれを支持する昇降支持機構の組み立て体を、他の寸法の収納位置に対応するラック体およびこれを支持する昇降支持機構の組み立て体と共用することができ、これら共用できる範囲でコストの低減を図ることができる。


【手続補正１４】
【補正対象書類名】明細書
【補正対象項目名】００６５
【補正方法】変更
【補正の内容】
【００６５】
請求項１４の発明のキャビネット付き収納装置によれば、キャビネットが収納位置として機能し、上記のような各場合の効果を発揮する。